(57)【要約】【課題】津波などの水の衝撃荷重（ウオーターハンマー）を受けても消波化、除波化し、転倒抗力、移動抗力、水の衝撃荷重抗力に優れた防波堤を提供する。【解決手段】転倒抗力用防波堤の上部構造体である防波壁２、防波壁スラブ３、防波壁控えスラブ４、防波壁控え壁５と、そして下部構造体７、とを構造的に剛に接合して全一体に構成して築造し、上部構造体の防波壁２、の海側面に津波などの水の衝撃荷重（ウオーターハンマー）抗力用の消波、除波用の消波板６、を設ける。【選択図】図１
0003170990.tif 000002
【実用新案登録請求の範囲】
【請求項１】
上部構造体である防波壁（２）、防波壁スラブ（３）、防波壁控えスラブ（４）、防波壁控え壁（５）と、そして下部構造体（７）とから少なくとも構成される転倒抗力用防波堤（１）であって、前記、上部構造体である防波壁（２）、防波壁スラブ（３）、防波壁控えスラブ（４）、防波壁控え壁（５）と、そして下部構造体（７）とが構造的に剛に接合され、全一体に構成築造することを
特徴とする転倒抗力用防波堤
【請求項２】
前記、上部構造体の一部である防波壁（２）は津波などの水の衝撃力（ウオーターハンマー）抗力の機能を備える消波板（６）であることを
特徴とする請求項１に記載の転倒抗力用防波堤
【考案の詳細な説明】
【技術分野】
【０００１】本考案は転倒抗力用防波堤に関するものであり、更に詳しくは、転倒抗力と移動抗力と水の衝撃荷重（ウォーターハンマー）抗力に優れた転倒抗力用防波堤に関するものである。
【背景技術】
【０００２】従来より、防波堤、堤防、岸壁、護岸等には、海底地盤上に敷石等積んだ上に配設された基礎マウンド上に、防波堤、堤防、岸壁、護岸等を置いて専らその自重で防波や高潮への対抗力として供していた。【０００３】又前記、防波堤、堤防、岸壁、護岸等は基礎マウンドに嵌合穴を作り、その嵌合穴に防波堤、堤防、岸壁、護岸等用のケーソンの下部を嵌入させて、防波堤、堤防、岸壁、護岸等の転倒と移動抗力の増大を図り、主としてその自重や力学的応用で防波や高潮への対抗力に供していた。
【先行技術文献】
【特許文献】
【０００４】
【特許文献１】  特開２００２−２６６３３２号広報
【考案の概要】
【考案が解決しようとする課題】
【０００５】この従来例の防波堤、堤防、岸壁、護岸等は下部構造体が無いので、基礎マウンドを通じて、海底地盤上に載せているだけであり、その固定力維持には、主としてその自重などに依存しており、防波堤、堤防、岸壁、護岸等と海底地盤との構造的結合が無く、転倒荷重や津波などの水の衝撃荷重の作用に対して弱い欠点を有する。【０００６】この従来例の防波堤、堤防、岸壁、護岸等はそれぞれの防波壁に消波化や除波化を行い、津波などによる、水の衝撃荷重（ウォーターハンマー）への対応策がなされていない欠点を有する。
【課題を解決するための手段】
【０００７】前記従来例の課題を解決するための本考案の要旨は本願の転倒抗力用防波堤に上部構造体と、下部構造体とを設け、これらを構造的に剛接合して一体化することであって、前記上部構造体は防波壁２、防波壁基礎スラブ３、防波壁控えスラブ４、防波壁控え壁５、とで構成されていることである。なお上部構造体と一体の防波堤控えスラブは車道にすることも出来る。【０００８】また、前記、本願の転倒抗力用防波堤の上部構造体の防波壁に、海に面した面に消波用又は除波用に効果のある消波板をつけることをふくむものである。
【考案の効果】
【０００９】本考案に係る、転倒抗力用防波堤によれば、津波等によって転倒抗力用防波堤の上部構造体に作用する、水の衝撃荷重（ウォーターハンマー）による転倒荷重を、この転倒抗力用防波堤の防波壁の海に面した面に付けた消波板により、転倒抗力用防波堤の上部構造体の受ける水の衝撃荷重を転倒抗力用防波堤に有利な方向に分散させることにより、荷重の受け方が合理的となり、荷重を弱め或いは消滅させ、その結果、転倒抗力用防波堤の転倒抗力、水の衝撃抗力、移動抗力を増大させ、転倒抗力用防波堤の固定力を高め安定させる。【００１０】また本考案の転倒抗力用防波堤は、海底地盤内に固定された下部構造体を有しているので、その下部構造体の上部と上部構造体の下部とが構造的に剛接合され一体化しているため、転倒抗力用防波堤に作用する鉛直荷重への支持力及び引き抜き力、転倒力、水の衝撃力、移動力などに対して大きな効果を奏する。【００１１】また本考案は津波などによる、転倒荷重、水の衝撃荷重を転倒抗力用防波堤の上下両構造体の一体化及上部構造体の防波壁への消波用板の取り付けや防波堤控えスラブなどで合理的に解決を図っており、在来の防波堤などのような自重を含めた重量依存方式でないため、転倒抗力用防波堤の断面が必要最小限に押えることが出来、軽量合理的断面構造体となり、コスト負担が少なくなる効果を奏する。
【図面の簡単な説明】
【００１２】
【図１】  本考案に係る転倒抗力用防波堤の横断面図である。
【図２】  本考案に係る転倒抗力用防波堤の海面側よりの立面図である。
【考案を実施するための形態】
【００１３】次に本発明の実施の形態について図面を参照しながら説明する。まず図１、２、に於いて符号１は転倒抗力用防波堤を示し、この転倒抗力用防波堤は、上部構造体である防波壁２、防波壁基礎スラブ３、防波壁控えスラブ４、防波壁控え壁５と、そして下部構造体７と、基礎マウンド１０、とより構成される。
【００１４】下部構造体７、は上部構造体である防波壁２、防波壁基礎スラブ３、防波壁控えスラブ４、防波壁控え壁５、との設置位置下部直下の海底地盤内に或いは海底地盤以外の地盤内に適当な大きさの鋼管を所定の深さに打ち込み、鋼管内部は鉄骨又は鉄筋を入れた後コンクリートを打設しＲＣ造などとし、鋼管外周と接する海底地盤などとの間はコンクリート詰めとし地盤に固定する、なお下部構造体７、の鋼管は、プレストレストコンクリート（ＰＣ）造などとすることが出来る。なお鋼管は打ち込み以外にスパイラルオーガーで先き掘りした穴に差し込むことも出来る。
【００１５】上部構造体は防波壁２、防波壁スラブ３、防波壁控えスラブ４、防波壁控え壁５と同体として構成し築造されており防波壁２、と防波壁基礎スラブ３、はＬ字形になっており、防波壁２、の背後に水平に防波壁控えスラブ４、が設けられ、防波壁基礎スラブ３、の防波壁より反対側端部の真上垂直に防波壁控え壁５、が設けられ、防波壁控えスラブ４、と防波壁控え壁５、との交点は結合されている。これらを一体として設置場所以外で築造された鉄筋コンクリート造のものを、転倒抗力用防波堤設置場所に予め築造している下部構造体７、の上部に据え付け、下部構造体７、との接点９、を剛接合し、下部構造体７、と上部構造体とを構造的に全一体の構造体とする。なお上部構造体の下面が海底地盤或いはその他の地盤と直接接するところは、その間に基礎マウンド１０、を設ける。
また上部構造体は転倒抗力用防波堤設置場所の現地で築造することも出来る。
【００１６】上部構造体の防波壁２、の海に面した面に防波壁２、と同じ材料の鉄筋コンクリート（ＲＣ）製の津波などの水の衝撃力（ウオーターハンマー）抗力用消波板６、を防波壁２、等と一体として同時に築造し取付ける。この消波板６、の取付け角度は防波壁面に直角か又はそれ以外にも出来る。又、この消波板６、の横断面形状は矩形、三角形、平行四辺形、梯形などにもできるし、又、取付方向は水平方向、斜め方向、交叉方向などにも出来る。又消波板６、は防波壁２、設置後別工事として取り付けることもできる。
【符号の説明】
【００１７】１    転倒抗力用防波堤
２    防波壁
３    防波壁基礎スラブ
４    防波壁控えスラブ
５    防波壁控え壁
６    防波壁付属消波板
７    下部構造体
８    下部構造体外周コンクリート詰め
９    上部構造体と下部構造体との剛接合部
１０  基礎マウンド
１１  海底地盤
１２  内陸部地盤
【図１】
0003170990.tif 000003
【図２】
0003170990.tif 000004
【手続補正書】
【提出日】平成23年7月20日(2011.7.20)
【手続補正１】
【補正対象書類名】実用新案登録請求の範囲
【補正対象項目名】全文
【補正方法】変更
【補正の内容】
【実用新案登録請求の範囲】
【請求項１】
転倒抗力用防波堤（１）は、鉄筋コンクート製の防波壁（２）、防波壁基礎スラブ（３）、防波壁控えスラブ（４）、防波壁控え壁（５）、で成る上部構造体と、鋼管杭を所定の深さまで打ち込み、鋼管杭中空の内部に組んだ主鉄筋を入れた後コンクートを鋼管杭頭上端まで打設した下部構造体（７）とであり、下部構造体（７）の鋼管杭頭上に上部構造体を載せる形で構成され、上部構造体の防波壁（２）は海岸の海側の地盤上で海に向かって海岸線に平行に地盤面に垂直又は内陸部のほうに少し傾いた形で津波などを防波し除波する為の壁として築造し、防波壁基礎スラブ（３）は防波壁（２）に作用した荷重を受け継ぎ処理するため、防波壁（２）の底部端より結合されて内陸部に向かって基礎マウンド（１０）の上面に水平に設けられるスラブであり、防波壁控えスラブ（４）は防波壁（２）の補強強化のため、防波壁（２）の背後の中間位置に結合して内陸部に向かって水平に設けられるスラブであり、防波壁控え壁（５）は防波壁基礎スラブ（３）と防波壁控えスラブ（４）の内陸部方向の末端部でそれぞれ結合して垂直につなぎ合わせて設ける壁であり、下部構造体（７）は鋼管杭を防波壁（２）直下と、防波壁控え壁（５）直下の海岸地盤中に鋼管杭を垂直に所定の深さまで打ち込んで入れ、鋼管杭頭上端は、海岸地盤面上の防波壁基礎スラブ（３）の底面下と地盤面との間に水平に設けられた基礎マウンド（１０）の上面とし、鋼管杭外周の地中内の地盤との隙間はコンクリートを詰め込み地盤に固定する、結局これら防波壁（２）、防波壁基礎スラブ（３）、防波壁控えスラブ（４）、防波壁控え壁（５）は何れも鉄筋コンクリート製であり、これらを一体に構成され築造されて、防波壁（２）の強度と安定力を強化し、且つ、上部構造体の一部である防波壁（２）直下と防波壁控え壁（５）直下の防波壁基礎スラブ（３）の底部構造部と、下部構造体（７）の鋼管杭頭上端の構造部との接点が剛接合され、防波壁（２）防波壁基礎スラブ（３）防波壁控えスラブ（４）防波壁控え壁（５）である上部構造体と、鋼管杭中空の内部に組んだ主鉄筋を入れた後コンクートを鋼管杭頭上端まで打設した下部構造体（７）とが構造的に全一体となっている、ことを特徴とする転倒抗力用防波堤（１）。
【請求項２】
前記、上部構造体の一部である防波壁（２）の海側面の上端と海面との中間位置に鉄筋コンクリート製板を海面に平行又は角度を付けて取付られる、消波板（６）を持つことを特徴とする請求項１に記載の転倒抗力用防波堤（１）。